(57)【要約】【課題】  接着剤を用いることなくインターポーザーをアンテナ形成済シートに実装することができるとともに実装されたインターポーザーがアンテナ形成済シートから剥離することを確実に防止することができ、しかも確実にインターポーザーの拡大電極とアンテナ形成済シートのアンテナとを電気的に接続させることができるインターポーザーの実装方法およびこの実装方法により得られるインターポーザー実装済シートを提供すること。【解決手段】  第１非導電層１１と、拡大電極１２と、ＩＣチップ１３とを有するインターポーザー１０を、第２非導電層２１と、アンテナ２２とを有するアンテナ形成済シート２０上に実装する。インターポーザー１０とアンテナ形成済シート２０とを、ホチキス器具３０により金属ホチキス針３５で結合させる。この際、拡大電極１２とアンテナ２２とを金属ホチキス針３５により電気的に接続させる。【選択図】  図３
2006079252.tif 000002
【特許請求の範囲】
【請求項１】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、
アンテナ形成済シート上にインターポーザーを重ね合わせる載置工程と、
インターポーザーとアンテナ形成済シートとを、導電性の金属ホチキス針を用いたホチキス器具から出される金属ホチキス針により結合させて、インターポーザーの拡大電極とアンテナ形成済シートのアンテナとをこの金属ホチキス針により電気的に接続する接続工程と、
を備えたことを特徴とするインターポーザーの実装方法。
【請求項２】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、
インターポーザーの拡大電極とアンテナ形成済シートのアンテナとが導電性の金属ホチキス針により電気的に接続されていることを特徴とするインターポーザー実装済シート。
【請求項３】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、
アンテナ形成済シート上にインターポーザーを重ね合わせる載置工程と、
インターポーザーとアンテナ形成済シートとを、導電性の金属ワイヤを用いた金属ワイヤ縫合器具から出される金属ワイヤにより縫合し、インターポーザーの拡大電極とアンテナ形成済シートのアンテナとをこの金属ワイヤにより電気的に接続する接続工程と、
を備えたことを特徴とするインターポーザーの実装方法。
【請求項４】
金属ワイヤにより縫合する際、金属ワイヤはインターポーザーおよびアンテナ形成済シートを繰り返し貫通し、これによりインターポーザーの拡大電極とアンテナ形成済シートのアンテナとを金属ワイヤの複数の貫通部により電気的に接続することを特徴とする請求項３記載のインターポーザーの実装方法。
【請求項５】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、
インターポーザーの拡大電極とアンテナ形成済シートのアンテナとが導電性の金属ワイヤにより電気的に接続されていることを特徴とするインターポーザー実装済シート。
【請求項６】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、
アンテナ形成済シート上にインターポーザーを重ね合わせる載置工程と、
インターポーザーとアンテナ形成済シートとを、導電性の金属部材により結合させて、インターポーザーの拡大電極とアンテナ形成済シートのアンテナとをこの金属部材により電気的に接続する接続工程と、
を備えたことを特徴とするインターポーザーの実装方法。
【請求項７】
第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、
インターポーザーの拡大電極とアンテナ形成済シートのアンテナとが導電性の金属部材により電気的に接続されていることを特徴とするインターポーザー実装済シート。
【発明の詳細な説明】
【技術分野】
【０００１】
本発明は、インターポーザーをアンテナ形成済シート上に実装するインターポーザーの実装方法およびこの実装方法により得られるインターポーザー実装済シートに関する。
【背景技術】
【０００２】
第１非導電層と、この第１非導電層上に設けられた拡大電極（第１導電層）と、拡大電極上に設けられたＩＣチップとを有するインターポーザーを、第２非導電層と、この第２非導電層上に設けられたアンテナ（第２導電層）とを有するアンテナ形成済シート上に実装するインターポーザーの実装方法としては、例えばカシメ工程による実装方法が知られている。図７は、カシメ工程によりインターポーザー１０をアンテナ形成済シート２０に実装する際のインターポーザー１０およびアンテナ形成済シート２０の縦断面図である。
【０００３】
このカシメ工程においては、アンテナ形成済シート２０上にインターポーザー１０を載置し、図７に示すようにこのインターポーザー１０の拡大電極１２に対して上方からカシメ刃７０を強く押圧する。そして、例えば合成樹脂シートからなるインターポーザー１０の第１非導電層１１をカシメ刃７０の押圧力によって突き破ることによりインターポーザー１０の拡大電極１２とアンテナ形成済シート２０のアンテナ２２とを接続させている。
【発明の開示】
【発明が解決しようとする課題】
【０００４】
しかしながら、カシメ工程によりインターポーザー１０をアンテナ形成済シート２０に実装する方法においては、カシメ刃７０による押圧力でもインターポーザー１０の第１非導電層１１を完全に突き破ることができない場合があり、インターポーザー１０の拡大電極１２とアンテナ形成済シート２０のアンテナ２２とを確実に電気的に接続することができないという問題がある。また、このカシメ工程ではインターポーザー１０とアンテナ形成済シート２０とを確実に接着させることができないので、インターポーザー１０とアンテナ形成済シート２０との間に接着剤を塗布する必要がある。
【０００５】
本発明は、このような点を考慮してなされたものであり、インターポーザーとアンテナ形成済シートとの間に接着剤を用いることなくインターポーザーを容易かつ確実にアンテナ形成済シートに実装することができるとともに、実装されたインターポーザーがアンテナ形成済シートから剥離することを確実に防止することができ、しかも確実にインターポーザーの拡大電極とアンテナ形成済シートのアンテナとを電気的に接続させることができるインターポーザーの実装方法を提供することを目的とする。
【０００６】
また、本発明は、インターポーザーとアンテナ形成済シートとの間に接着剤を用いることなくインターポーザーがアンテナ形成済シートに実装されるとともに、実装されたインターポーザーがアンテナ形成済シートから剥離することを確実に防止することができ、しかもインターポーザーの拡大電極とアンテナ形成済シートのアンテナとが確実に電気的に接続されるインターポーザー実装済シートを提供することを目的する。
【課題を解決するための手段】
【０００７】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、アンテナ形成済シート上にインターポーザーを重ね合わせる載置工程と、インターポーザーとアンテナ形成済シートとを、導電性の金属ホチキス針を用いたホチキス器具から出される金属ホチキス針により結合させて、インターポーザーの拡大電極とアンテナ形成済シートのアンテナとをこの金属ホチキス針により電気的に接続する接続工程と、を備えたことを特徴とするインターポーザーの実装方法である。
このようなインターポーザーの実装方法によれば、インターポーザーとアンテナ形成済シートとの間に接着剤を用いることなくインターポーザーを容易かつ確実にアンテナ形成済シートに実装することができるとともに、実装されたインターポーザーがアンテナ形成済シートから剥離することを確実に防止することができ、しかも確実にインターポーザーの拡大電極とアンテナ形成済シートのアンテナとを電気的に接続させることができる。
【０００８】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、インターポーザーの拡大電極とアンテナ形成済シートのアンテナとが導電性の金属ホチキス針により電気的に接続されていることを特徴とするインターポーザー実装済シートである。
このようなインターポーザー実装済シートによれば、インターポーザーとアンテナ形成済シートとの間に接着剤を用いることなくインターポーザーがアンテナ形成済シートに実装されるとともに、実装されたインターポーザーがアンテナ形成済シートから剥離することを確実に防止することができ、しかもインターポーザーの拡大電極とアンテナ形成済シートのアンテナとが確実に電気的に接続される。
【０００９】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、アンテナ形成済シート上にインターポーザーを重ね合わせる載置工程と、インターポーザーとアンテナ形成済シートとを、導電性の金属ワイヤを用いた金属ワイヤ縫合器具から出される金属ワイヤにより縫合し、インターポーザーの拡大電極とアンテナ形成済シートのアンテナとをこの金属ワイヤにより電気的に接続する接続工程と、を備えたことを特徴とするインターポーザーの実装方法である。
このようなインターポーザーの実装方法によれば、インターポーザーとアンテナ形成済シートとの間に接着剤を用いることなくインターポーザーを容易かつ確実にアンテナ形成済シートに実装することができるとともに、実装されたインターポーザーがアンテナ形成済シートから剥離することを確実に防止することができ、しかも確実にインターポーザーの拡大電極とアンテナ形成済シートのアンテナとを電気的に接続させることができる。
【００１０】
本発明のインターポーザーの実装方法においては、金属ワイヤにより縫合する際、金属ワイヤはインターポーザーおよびアンテナ形成済シートを繰り返し貫通し、これによりインターポーザーの拡大電極とアンテナ形成済シートのアンテナとを金属ワイヤの複数の貫通部により電気的に接続することが好ましい。
このようなインターポーザーの実装方法によれば、実装されたインターポーザーがアンテナ形成済シートから剥離することをより確実に防止することができ、しかも金属ワイヤの一の貫通部が剪断された場合であっても他の貫通部により拡大電極とアンテナとの電気的な接続を保つことができる。
【００１１】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、インターポーザーの拡大電極とアンテナ形成済シートのアンテナとが導電性の金属ワイヤにより電気的に接続されていることを特徴とするインターポーザー実装済シートである。
このようなインターポーザー実装済シートによれば、インターポーザーとアンテナ形成済シートとの間に接着剤を用いることなくインターポーザーがアンテナ形成済シートに実装されるとともに、実装されたインターポーザーがアンテナ形成済シートから剥離することを確実に防止することができ、しかもインターポーザーの拡大電極とアンテナ形成済シートのアンテナとが確実に電気的に接続される。
【００１２】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装するインターポーザーの実装方法において、アンテナ形成済シート上にインターポーザーを重ね合わせる載置工程と、インターポーザーとアンテナ形成済シートとを、導電性の金属部材により結合させて、インターポーザーの拡大電極とアンテナ形成済シートのアンテナとをこの金属部材により電気的に接続する接続工程と、を備えたことを特徴とするインターポーザーの実装方法である。
このようなインターポーザーの実装方法によれば、インターポーザーとアンテナ形成済シートとの間に接着剤を用いることなくインターポーザーを容易かつ確実にアンテナ形成済シートに実装することができるとともに、実装されたインターポーザーがアンテナ形成済シートから剥離することを確実に防止することができ、しかも確実にインターポーザーの拡大電極とアンテナ形成済シートのアンテナとを電気的に接続させることができる。
【００１３】
本発明は、第１非導電層と、この第１非導電層上に設けられた第１導電層からなる拡大電極と、拡大電極上に設けられたＩＣチップとを有するインターポーザーを、第２非導電層と、この第２非導電層上に設けられた第２導電層からなるアンテナとを有するアンテナ形成済シート上に実装したインターポーザー実装済シートであって、インターポーザーの拡大電極とアンテナ形成済シートのアンテナとが導電性の金属部材により電気的に接続されていることを特徴とするインターポーザー実装済シートである。
このようなインターポーザー実装済シートによれば、インターポーザーとアンテナ形成済シートとの間に接着剤を用いることなくインターポーザーがアンテナ形成済シートに実装されるとともに、実装されたインターポーザーがアンテナ形成済シートから剥離することを確実に防止することができ、しかもインターポーザーの拡大電極とアンテナ形成済シートのアンテナとが確実に電気的に接続される。
【発明の効果】
【００１４】
本発明のインターポーザーの実装方法によれば、インターポーザーとアンテナ形成済シートとの間に接着剤を用いることなくインターポーザーを容易かつ確実にアンテナ形成済シートに実装することができるとともに、実装されたインターポーザーがアンテナ形成済シートから剥離することを確実に防止することができ、しかも確実にインターポーザーの拡大電極とアンテナ形成済シートのアンテナとを電気的に接続させることができる。
【００１５】
本発明のインターポーザー実装済シートによれば、インターポーザーとアンテナ形成済シートとの間に接着剤を用いることなくインターポーザーがアンテナ形成済シートに実装されるとともに、実装されたインターポーザーがアンテナ形成済シートから剥離することを確実に防止することができ、しかもインターポーザーの拡大電極とアンテナ形成済シートのアンテナとが確実に電気的に接続される。
【発明を実施するための最良の形態】
【００１６】
第１の実施の形態
以下、図面を参照して本発明の第１の実施の形態について説明する。図１は、インターポーザーをアンテナ形成済シートに実装する前のインターポーザーおよびアンテナ形成済シートの縦断面図であり、図２は、ホチキス器具ならびにこのホチキス器具に送られるインターポーザーおよびアンテナ形成済シートを示す斜視図であり、図３は、インターポーザーを金属ホチキス針によりアンテナ形成済シートに実装した後のインターポーザー実装済シートの縦断面図であり、図４は、図３のインターポーザー実装済シートの斜視図である。
【００１７】
まず、図３および図４において、本発明によるインターポーザーの実装方法によって得られるインターポーザー実装済シート（ＩＣタグ付シート）４０について簡単に説明する。
図３および図４に示すように、インターポーザー実装済シート４０は、第２非導電層２１と、この第２非導電層２１上に設けられたアンテナ（第２導電層）２２とを有するアンテナ形成済シート２０と、このアンテナ形成済シート２０上に実装され、第１非導電層１１と、この第１非導電層１１上に設けられた拡大電極（第１導電層）１２と、拡大電極１２上に設けられたＩＣチップ１３とを有するインターポーザー１０とを備えている。
【００１８】
このようなインターポーザー実装済シート４０は、以下のような工程を順次経ることにより製造される。
【００１９】
まず、図１を用いてインターポーザー１０およびアンテナ形成済シート２０の準備工程について説明する。
【００２０】
この準備工程においては、合成樹脂シートからなる非導電性の第１非導電層１１上に、接着剤（図示せず）を介してアルミニウム、銅等からなる金属箔の導電性の拡大電極（第１導電層）１２を形成し、さらに、この拡大電極１２上にＩＣチップ１３を実装することにより、第１非導電層１１と、拡大電極１２と、ＩＣチップ１３とを有するインターポーザー１０を製造する。
【００２１】
一方、例えば紙、樹脂からなる非導電性の第２非導電層２１上に、接着剤（図示せず）を介してアルミニウム、銅等からなる金属箔の導電性のアンテナ（第２導電層）２２を形成することにより、第２非導電層２１と、アンテナ２２とを有するアンテナ形成済シート２０を製造する。
【００２２】
なお、拡大電極１２およびアンテナ２２は金属箔からなるものに限られず、例えば印刷やエッチングで形成されるものであってもよい。
【００２３】
次に、図２を用いてインターポーザー１０をアンテナ形成済シート２０に実装する実装工程について説明する。
【００２４】
まず、図１に示すようにインターポーザー１０がアンテナ形成済シート２０上に載置される。次に、このインターポーザー１０を載置したアンテナ形成済シート２０が図２の矢印に示す水平方向に搬送され、後述するホチキス器具３０に送られる。ここで、インターポーザー１０を載置したアンテナ形成済シート２０は、移動と停止とを交互に繰り返す間欠搬送によりホチキス器具３０に送られるようになっている。
【００２５】
ホチキス器具３０は、インターポーザー１０を載置したアンテナ形成済シート２０が送られる場所よりも上方に設けられている。また、このホチキス器具３０は、導電性の金属ホチキス針３５を収納するホチキス針収納部３１と、ホチキス針収納部３１に収納された金属ホチキス針３５を下方に押し出すホチキス針押出部３３と、インターポーザー１０を載置したアンテナ形成済シート２０が載せられる受け台３２とを備えており、インターポーザー１０を載置したアンテナ形成済シート２０はホチキス針収納部３１と受け台３２との間に送られるようになっている。
ホチキス針収納部３１に収納されている導電性の金属ホチキス針３５は例えばステンレス製のものが用いられるが、防錆性および導電性の高い他の金属を用いることもできる。金属ホチキス針３５として防錆性および導電性の高い金属部材が用いられることにより、より確実にインターポーザー１０の拡大電極１２とアンテナ形成済シート２０のアンテナ２２とを電気的に長期間にわたって接続させることができる。
また、この金属ホチキス針３５の断面は例えば略円形であるが、断面が例えば多角形となっている金属ホチキス針３５を用いることもできる。
また、ホチキス針収納部３１に収納されている金属ホチキス針３５は、先鋭な両端部３５ａ、３５ｂがそれぞれ下方に向くようになっている。
【００２６】
このようなホチキス器具３０に搬送されるインターポーザー１０およびアンテナ形成済シート２０は受け台３２上で図２の矢印方向に移動して、インターポーザー１０と結合されるべきアンテナ形成済シート２０上の部分が金属ホチキス針収納部３１の真下に到達したときにこのアンテナ形成済シート２０が停止する。
【００２７】
次に、このアンテナ形成済シート２０が停止した状態で、ホチキス針押出部３３がホチキス針収納部３１に収納された金属ホチキス針３５を下方に押し出して、この金属ホチキス針３５の先鋭な両端部３５ａ、３５ｂがインターポーザー１０の拡大電極１２、第１非導電層１１、アンテナ形成済シート２０のアンテナ２２、第２非導電層２１を順に突き破り下方に向かって貫通する（図３参照）。
【００２８】
インターポーザー１０およびアンテナ形成済シート２０を貫通してこのアンテナ形成済シート２０の下方から突出した両端部３５ａ、３５ｂは、受け台３２により図３に示すようにアンテナ形成済シート２０の第２非導電層２１の裏面上でこの両端部３５ａ、３５ｂが互いに向くよう曲げられ、このことによりインターポーザー１０およびアンテナ形成済シート２０が金属ホチキス針３５によって結合される。
ここで、金属ホチキス針３５は導電性のものであるので、この金属ホチキス針３５がインターポーザー１０およびアンテナ形成済シート２０を貫通することにより、インターポーザー１０の拡大電極１２とアンテナ形成済シート２０のアンテナ２２とが電気的に接続される。
【００２９】
ホチキス器具３０によりインターポーザー１０と結合したアンテナ形成済シート２０は再び図２の矢印方向に移動し、同様の実装工程が繰り返される。
【００３０】
このようにして、図３および図４に示すようなインターポーザー１０の拡大電極１２とアンテナ形成済シート２０のアンテナ２２とが導電性の金属ホチキス針３５により電気的に接続されたインターポーザー実装済シート４０が得られる。
【００３１】
本実施の形態のインターポーザー１０の実装方法によれば、インターポーザー１０とアンテナ形成済シート２０とを、ホチキス器具３０から出される金属ホチキス針３５により結合させて、インターポーザー１０の拡大電極１２とアンテナ形成済シート２０のアンテナ２２とをこの金属ホチキス針３５により電気的に接続させるので、インターポーザー１０とアンテナ形成済シート２０との間に接着剤を用いることなくインターポーザー１０を容易かつ確実にアンテナ形成済シート２０に実装することができる。また、実装されたインターポーザー１０がアンテナ形成済シート２０から剥離することを確実に防止することができ、しかも確実にインターポーザー１０の拡大電極１２とアンテナ形成済シート２０のアンテナ２２とを電気的に接続させることができる。
【００３２】
本実施の形態のインターポーザー１０の実装方法により形成されたインターポーザー実装済シート４０によれば、インターポーザー１０の拡大電極１２とアンテナ形成済シート２０のアンテナ２２とが導電性の金属ホチキス針３５により電気的に接続されているので、インターポーザー１０とアンテナ形成済シート２０との間に接着剤を用いることなくインターポーザー１０がアンテナ形成済シート２０に実装される。また、実装されたインターポーザー１０がアンテナ形成済シート２０から剥離することを確実に防止することができ、しかもインターポーザー１０の拡大電極１２とアンテナ形成済シート２０のアンテナ２２とが確実に電気的に接続される。
【００３３】
第２の実施の形態
以下、図面を参照して本発明の第２の実施の形態について説明する。図５は、金属ワイヤ縫合器具ならびにこの金属ワイヤ縫合器具に送られるインターポーザーおよびアンテナ形成済シートを示す斜視図であり、図６は、インターポーザーを金属ワイヤによりアンテナ形成済シートに実装した後のインターポーザー実装済シートの縦断面図である。
図５および図６に示す第２の実施の形態おいて、図１乃至図４に示す第１の実施の形態と同一部分には同一符号を付して詳細な説明を省略する。
【００３４】
本実施の形態によるインターポーザー１０の実装方法は、インターポーザー１０とアンテナ形成済シート２０とをホチキス器具３０により結合させる代わりに、工業用ミシン等の金属ワイヤ縫合器具５０を用いた点が異なるのみであり、他は実質的に図１乃至図４に示す第１の実施の形態と同様のものとなっている。
このインターポーザー１０の実装方法について図５および図６を用いて以下に説明する。
【００３５】
まず、図１に示すようにインターポーザー１０がアンテナ形成済シート２０上に載置され、このインターポーザー１０を載置したアンテナ形成済シート２０が図５の矢印に示す水平方向に搬送され、後述する金属ワイヤ縫合器具５０に送られる。
【００３６】
金属ワイヤ縫合器具５０は、インターポーザー１０を載置したアンテナ形成済シート２０が送られる場所よりも上方に設けられ、導電性の金属ワイヤ５５を収納するとともにこの導電性の金属ワイヤ５５を下方に押し出す金属ワイヤ供給部５１と、インターポーザー１０を載置したアンテナ形成済シート２０が載せられる受け台５２とを備えており、インターポーザー１０を載置したアンテナ形成済シート２０は金属ワイヤ供給部５１と受け台５２との間に送られるようになっている。
金属ワイヤ供給部５１に収納されている導電性の金属ワイヤ５５は例えばステンレス製のものが用いられるが、防錆性および導電性の高い他の金属を用いることもできる。金属ワイヤ５５として防錆性および導電性の高い金属部材が用いられることにより、より確実にインターポーザー１０の拡大電極１２とアンテナ形成済シート２０のアンテナ２２とを電気的に長期間にわたって接続させることができる。
また、この金属ワイヤ５５の断面は例えば略円形であるが、断面が例えば多角形となっている金属ホチキス針３５を用いることもできる。
また、金属ワイヤ供給部５１に収納されている金属ワイヤ５５は、先鋭な先端部５５ａが下方に向くようになっている。
【００３７】
このような金属ワイヤ縫合器具５０に搬送されるインターポーザー１０およびアンテナ形成済シート２０は受け台５２上で図５の矢印方向に移動する。そして、インターポーザー１０と結合されるべきアンテナ形成済シート２０上の部分が金属ワイヤ供給部５１の真下に到達したときに、金属ワイヤ供給部５１は収納された金属ワイヤ５５を下方に押し出して、この金属ワイヤ５５の先鋭な先端部５５ａがインターポーザー１０の拡大電極１２、第１非導電層１１、アンテナ形成済シート２０のアンテナ２２、第２非導電層２１を順に突き破り下方に向かって貫通する。
アンテナ形成済シート２０の第２非導電層２１の下方に突出した金属ワイヤ５５は再び上方に押し上げられるようになっており、この金属ワイヤ５５がアンテナ形成済シート２０の第２非導電層２１、アンテナ２２、インターポーザー１０の第１非導電層１１、拡大電極１２を順に突き破り上方に向かって貫通する。
そして、図６に示すように、金属ワイヤ縫合器具５０が上記の動作を繰り返し行うことにより、金属ワイヤ５５はインターポーザー１０およびアンテナ形成済シート２０を、当該金属ワイヤ５５の貫通部５５ｂが複数形成されるよう繰り返し貫通する。
【００３８】
ここで、金属ワイヤ５５は導電性のものであるので、この金属ワイヤ５５がインターポーザー１０およびアンテナ形成済シート２０を貫通することにより、インターポーザー１０の拡大電極１２とアンテナ形成済シート２０のアンテナ２２とが電気的に接続される。
【００３９】
このようにして、図６に示すようなインターポーザー１０の拡大電極１２とアンテナ形成済シート２０のアンテナ２２とが導電性の金属ワイヤ５５により電気的に接続されたインターポーザー実装済シート６０が得られる。
【００４０】
本実施の形態のインターポーザー１０の実装方法によれば、インターポーザー１０とアンテナ形成済シート２０とを、金属ワイヤ縫合器具５０から出される金属ワイヤ５５により結合させて、インターポーザー１０の拡大電極１２とアンテナ形成済シート２０のアンテナ２２とをこの金属ワイヤ５５により電気的に接続させるので、インターポーザー１０とアンテナ形成済シート２０との間に接着剤を用いることなくインターポーザー１０を容易かつ確実にアンテナ形成済シート２０に実装することができる。また、実装されたインターポーザー１０がアンテナ形成済シート２０から剥離することを確実に防止することができ、しかも確実にインターポーザー１０の拡大電極１２とアンテナ形成済シート２０のアンテナ２２とを電気的に接続させることができる。
【００４１】
また、金属ワイヤ５５がインターポーザー１０およびアンテナ形成済シート２０を繰り返し貫通し、これによりインターポーザー１０の拡大電極１２とアンテナ形成済シート２０のアンテナ２２とを金属ワイヤ５５の複数の貫通部５５ｂにより電気的に接続することにより、実装されたインターポーザー１０がアンテナ形成済シート２０から剥離することをより確実に防止することができる。しかも金属ワイヤ５５の一の貫通部５５ｂが剪断された場合であっても他の貫通部５５ｂにより拡大電極１２とアンテナ２２との電気的な接続を保つことができる。
【００４２】
本実施の形態のインターポーザー１０の実装方法により形成されたインターポーザー実装済シート６０によれば、インターポーザー１０の拡大電極１２とアンテナ形成済シート２０のアンテナ２２とが導電性の金属ワイヤ５５により電気的に接続されているので、インターポーザー１０とアンテナ形成済シート２０との間に接着剤を用いることなくインターポーザー１０がアンテナ形成済シート２０に実装される。また、実装されたインターポーザー１０がアンテナ形成済シート２０から剥離することを確実に防止することができ、しかもインターポーザー１０の拡大電極１２とアンテナ形成済シート２０のアンテナ２２とが確実に電気的に接続される。
【００４３】
上記の各実施の形態において、インターポーザー１０のＩＣチップ１３はアンテナ２２と反対側を向いているが、インターポーザー１０のＩＣチップ１３がアンテナ２２側を向いていても良い。この場合、アンテナ２２とＩＣチップ１３との間に絶縁層が挿入される。
【図面の簡単な説明】
【００４４】
【図１】インターポーザーをアンテナ形成済シートに実装する前のインターポーザーおよびアンテナ形成済シートの縦断面図である。
【図２】ホチキス器具ならびにこのホチキス器具に送られるインターポーザーおよびアンテナ形成済シートを示す斜視図である。
【図３】インターポーザーを金属ホチキス針によりアンテナ形成済シートに実装した後のインターポーザー実装済シートの縦断面図である。
【図４】図３のインターポーザー実装済シートの斜視図である。
【図５】金属ワイヤ縫合器具ならびにこの金属ワイヤ縫合器具に送られるインターポーザーおよびアンテナ形成済シートを示す斜視図である。
【図６】インターポーザーを金属ワイヤによりアンテナ形成済シートに実装した後のインターポーザー実装済シートの縦断面図である。
【図７】従来のカシメ工程によりインターポーザーをアンテナ形成済シートに実装する際のインターポーザーおよびアンテナ形成済シートの縦断面図である。
【符号の説明】
【００４５】
１０    インターポーザー
１１    第１非導電層
１２    拡大電極（第１導電層）
１３    ＩＣチップ
２０    アンテナ形成済シート
２１    第２非導電層
２２    アンテナ（第２導電層）
３０    ホチキス器具
３１    ホチキス針収納部
３２    受け台
３３    ホチキス針押出部
３５    金属ホチキス針
３５ａ、３５ｂ  両端部
４０    インターポーザー実装済シート
５０    金属ワイヤ縫合器具
５１    金属ワイヤ供給部
５２    受け台
５５    金属ワイヤ
５５ａ  先端部
５５ｂ  貫通部
６０    インターポーザー実装済シート
７０    カシメ刃
【図１】
2006079252.tif 000003
【図２】
2006079252.tif 000004
【図３】
2006079252.tif 000005
【図４】
2006079252.tif 000006
【図５】
2006079252.tif 000007
【図６】
2006079252.tif 000008
【図７】
2006079252.tif 000009